【手続補正書】
【提出日】平成17年7月14日(2005.7.14)
【手続補正１】
【補正対象書類名】明細書
【補正対象項目名】特許請求の範囲
【補正方法】変更
【補正の内容】
【特許請求の範囲】
【請求項１】
表示画面上に表示される文字および／または図形のそれぞれは基本部分と、前記基本部分の近傍に配置された近傍部分とを含み、前記基本部分の近傍部分に、該基本部分の出力輝度レベルとは異なる出力輝度レベルが設定されるように表示制御する制御部を有し、該制御部は、前記文字および／または図形が表示される表示画面に関わる設定条件に応じて、該文字および図形の基本部分およびその近傍部分の出力輝度レベルを制御する表示装置。
【請求項２】
前記制御部は、前記表示画面に関わる設定条件のうち、ユーザによる表示用照射光量の設定レベルに応じて、前記文字および／または図形の基本部分およびその近傍部分の出力輝度レベルを制御する、請求項１記載の表示装置。
【請求項３】
表示画面上に設けられた複数の表示ピクセルのそれぞれに、所定の方向に配列された複数の色要素にそれぞれ対応付けられた複数のサブピクセルがそれぞれ設けられ、前記制御部は文字および図形の基本部分の近傍部分に、該基本部分から離れるに従って該基本部分の色要素の輝度レベルから段階的に順次変化する色要素の輝度レベルが設定されるように表示制御することを特徴とする請求項２記載の表示装置。
【請求項４】
前記制御部は、前記表示画面に関わる設定条件のうち、表示画面に対する表示用照射光量に応じて、該文字および／または図形の基本部分およびその近傍部分の出力輝度レベルを制御する、請求項１記載の表示装置。
【請求項５】
表示画面上に設けられた複数の表示ピクセルのそれぞれに、所定の方向に配列された複数の色要素にそれぞれ対応付けられた複数のサブピクセルがそれぞれ設けられ、文字および図形の基本部分の近傍部分に、該基本部分から離れるに従って該基本部分の色要素の輝度レベルから段階的に順次変化する色要素の輝度レベルが設定されるように表示制御することを特徴とする請求項４記載の表示装置。
【請求項６】
前記文字および図形の基本部分およびその近傍部分は、前記サブピクセル単位で定義付けられている請求項３または５記載の表示装置。
【請求項７】
前記表示画面に光を照射する光照射手段を有し、前記制御部は、該光照射手段の点灯／消灯に応じて、前記文字および図形の基本部分およびその近傍部分の色要素の輝度レベルを設定制御する請求項２〜５の何れかに記載の表示装置。
【請求項８】
前記表示画面に光を照射する光照射手段を有し、前記制御部は、該光照射手段の表示用照射光量レベルに応じて、前記文字および図形の基本部分およびその近傍部分の色要素の輝度レベルを設定制御する請求項２〜５の何れかに記載の表示装置。
【請求項９】
前記光照射手段は表示媒体の背面側に設けられ、前記制御部は、該光照射手段を点灯させて該光照射手段から照射された光を該表示媒体を介して前面側に出射させる透過型表示モードと、該光照射手段を消灯させて該表示媒体の前面側から入射された周囲光を該表示媒体の背面側に設けられた反射面にて反射させて前面側に出射させる反射型表示モードとを切り替え制御可能とする表示モード切替制御手段を有する請求項７または８記載の表示装置。
【請求項１０】
前記文字および図形の基本部分およびその近傍部分の色要素の輝度レベルを定めるための色要素の輝度レベル情報を格納したテーブルを複数記憶した記憶部を有し、前記制御部は、前記表示画面に対する表示用照射光量に応じて該複数のテーブルのうち一つを選択し、選択したテーブルに基づいて該文字および図形の基本部分およびその近傍部分の色要素の輝度レベルを設定制御する請求項７または８記載の表示装置。
【請求項１１】
前記色要素の輝度レベル情報を格納したテーブルは、表示画面に対する所定の表示用照射光量レベル毎に複数設けられている請求項１０記載の表示装置。
【請求項１２】
前記色要素の輝度レベル情報を格納したテーブルは、ユーザによる所定の設定表示用照射光量レベル毎に複数設けられている請求項１０記載の表示装置。
【請求項１３】
表示画面上に設けられた複数の表示ピクセルのそれぞれに、所定の方向に配列された複数の色要素にそれぞれ対応付けられた複数のサブピクセルがそれぞれ設けられ、該表示画面上に表示される文字および図形の基本部分の近傍部分に、該基本部分から離れるに従って該基本部分の色要素の輝度レベルから段階的に順次変化する色要素の輝度レベルが設定されるように表示制御する文字・図形表示制御方法において、ユーザが表示用照射光量の設定を行うステップと、設定された表示用照射光量に応じて、該文字および図形の基本部分に対応するサブピクセルの色要素の輝度レベルを所定の色要素の輝度レベルに設定し、該基本部分に対応するサブピクセルの近傍のサブピクセルの色要素の輝度レベルを、該基本部分から離れるに従って該所定の色要素の輝度レベルから段階的に順次変化する色要素の輝度レベルに設定することにより、該文字および図形を該表示画面上に表示するステップとを含む文字・図形表示制御方法。
【請求項１４】
表示画面上に設けられた複数の表示ピクセルのそれぞれに、所定の方向に配列された複数の色要素にそれぞれ対応付けられた複数のサブピクセルがそれぞれ設けられ、該表示画面上に表示される文字および図形の基本部分の近傍部分に、該基本部分から離れるに従って該基本部分の色要素の輝度レベルから段階的に順次変化する色要素の輝度レベルが設定されるように表示制御する文字・図形表示制御方法において、表示画面に対する表示用照射光量レベルが変化した時に、該表示用照射光量レベルに応じて、該文字および図形の基本部分に対応するサブピクセルの色要素の輝度レベルを所定の色要素の輝度レベルに設定し、該基本部分に対応するサブピクセルの近傍のサブピクセルの色要素の輝度レベルを、該基本部分から離れるに従って該所定の色要素の輝度レベルから段階的に順次変化する色要素の輝度レベルに設定することにより、該文字および図形を該表示画面上に表示するステップを含む文字・図形表示制御方法。
【請求項１５】
請求項１３または１４または２６記載の文字・図形表示制御方法の処理手順をコンピュータに実行させる文字・図形表示プログラム。
【請求項１６】
請求項１５記載の文字・図形表示プログラムが記録されたコンピューター読み取り可能な可読記録媒体。
【請求項１７】
前記制御部は、前記表示画面に関わる設定条件のうち、前記表示デバイスの視聴者に関する情報に基づいて、前記基本部分およびその近傍部分の出力輝度レベルを制御する、請求項１記載の表示装置。
【請求項１８】
前記制御部は、前記視聴者に関する情報に基づいて、前記基本部分の輝度レベルと前記近傍部分の輝度レベルとの少なくとも一方を補正する、請求項１７に記載の表示装置。
【請求項１９】
前記視聴者に関する情報は、前記視聴者の年齢に関する情報と、前記視聴者の眼の状態に関するに関する情報との少なくとも一つを含む、請求項１７に記載の表示装置。
【請求項２０】
前記制御部は、前記基本部分から離れるにしたがって、前記近傍部分の輝度レベルが段階的に変化するように、前記近傍部分の輝度レベルを設定する、請求項１７に記載の表示装置。
【請求項２１】
前記制御部は、複数の色要素の輝度レベルに基づいて、前記基本部分の輝度レベルおよび前記近傍部分の輝度レベルを設定する、請求項１７に記載の表示装置。
【請求項２２】
前記表示画面は、複数のピクセルを含み、前記複数のピクセルのうちのそれぞれのピクセルは、複数のサブピクセルを含み、前記複数のサブピクセルのそれぞれは、複数の色要素のうちの一つに対応づけられている、請求項１７に記載の表示装置。
【請求項２３】
前記基本部分および前記近傍部分は、前記複数のサブピクセルに割り当てられている、請求項２２に記載の表示装置。
【請求項２４】
前記基本部分および前記近傍部分の輝度レベルを示す複数の補正パターンテーブルを記憶する記憶部をさらに備え、前記制御部は、前記表示デバイスの視聴者に関する情報に基づいて、前記記憶部に記憶された前記複数の補正パターンテーブルのうちの一つの補正パターンテーブルを選択し、前記選択した補正パターンテーブルに基づいて、前記基本部分の輝度レベルおよび前記近傍部分の輝度レベルを設定する、請求項１７に記載の表示装置。
【請求項２５】
前記視聴者に関する情報を入力するための入力部をさらに備える、請求項１７に記載の表示装置。
【請求項２６】
表示画面上に設けられた複数の表示ピクセルのそれぞれに、所定の方向に配列された複数の色要素にそれぞれ対応付けられた複数のサブピクセルがそれぞれ設けられ、該表示画面上に表示される文字および図形の基本部分の近傍部分に、該基本部分から離れるに従って該基本部分の色要素の輝度レベルから段階的に順次変化する色要素の輝度レベルが設定されるように表示制御する文字・図形表示制御方法において、表示画面の視聴者に関する情報を入力するステップと、入力された前記視聴者に関する情報に応じて、該文字および図形の基本部分に対応するサブピクセルの色要素の輝度レベルを所定の色要素の輝度レベルに設定し、該基本部分に対応するサブピクセルの近傍のサブピクセルの色要素の輝度レベルを、該基本部分から離れるに従って該所定の色要素の輝度レベルから段階的に順次変化する色要素の輝度レベルに設定することにより、該文字および図形を該表示画面上に表示するステップとを含む文字・図形表示制御方法。
【手続補正２】
【補正対象書類名】明細書
【補正対象項目名】００１６
【補正方法】変更
【補正の内容】
【００１６】
さらに、本出願人は、特開２００２‐４９３６６号において、ビットマップデータを用いて、文字や図形の基本部分とサブピクセルとを対応付ける方法を提案している。
【手続補正３】
【補正対象書類名】明細書
【補正対象項目名】００３０
【補正方法】変更
【補正の内容】
【００３０】
【課題を解決するための手段】
本発明の表示装置は、表示画面上に表示される文字および／または図形のそれぞれは基本部分と、前記基本部分の近傍に配置された近傍部分とを含み、前記基本部分の近傍部分に、該基本部分の出力輝度レベルとは異なる出力輝度レベルが設定されるように表示制御する制御部を有し、該制御部は、前記文字および／または図形が表示される表示画面に関わる設定条件に応じて、該文字および図形の基本部分およびその近傍部分の出力輝度レベルを制御するものであり、そのことにより上記目的が達成される。
さらに、好ましくは、本発明の表示装置において、前記制御部は、前記表示画面に関わる設定条件のうち、ユーザによる表示用照射光量の設定レベルに応じて、前記文字および／または図形の基本部分およびその近傍部分の出力輝度レベルを制御する。
【手続補正４】
【補正対象書類名】明細書
【補正対象項目名】００３１
【補正方法】変更
【補正の内容】
【００３１】
また、本発明の表示装置は、表示画面上に設けられた複数の表示ピクセルのそれぞれに、所定の方向に配列された複数の色要素にそれぞれ対応付けられた複数のサブピクセルがそれぞれ設けられ、前記制御部は文字および図形の基本部分の近傍部分に、該基本部分から離れるに従って該基本部分の色要素の輝度レベルから段階的に順次変化する色要素の輝度レベルが設定されるように表示制御する。
【手続補正５】
【補正対象書類名】明細書
【補正対象項目名】００３２
【補正方法】変更
【補正の内容】
【００３２】
また、好ましくは、本発明の表示装置において、前記制御部は、前記表示画面に関わる設定条件のうち、表示画面に対する表示用照射光量に応じて、該文字および／または図形の基本部分およびその近傍部分の出力輝度レベルを制御する。
【手続補正６】
【補正対象書類名】明細書
【補正対象項目名】００３３
【補正方法】変更
【補正の内容】
【００３３】
さらに、本発明の表示装置は、表示画面上に設けられた複数の表示ピクセルのそれぞれに、所定の方向に配列された複数の色要素にそれぞれ対応付けられた複数のサブピクセルがそれぞれ設けられ、文字および図形の基本部分の近傍部分に、該基本部分から離れるに従って該基本部分の色要素の輝度レベルから段階的に順次変化する色要素の輝度レベルが設定されるように表示制御する。
【手続補正７】
【補正対象書類名】明細書
【補正対象項目名】００４３
【補正方法】変更
【補正の内容】
【００４３】
本発明の文字・図形表示プログラムは、請求項１３または１４記載または２６の文字・図形表示制御方法の処理手順をコンピュータに実行させるものであり、そのことにより上記目的が達成される。
【手続補正８】
【補正対象書類名】明細書
【補正対象項目名】００４４
【補正方法】変更
【補正の内容】
【００４４】
本発明の可読記録媒体は、請求項１５記載の文字・図形表示プログラムが記録されたコンピューター読み取り可能であり、そのことにより上記目的が達成される。 
さらに、好ましくは、本発明の表示装置において、前記制御部は、前記表示画面に関わる設定条件のうち、前記表示デバイスの視聴者に関する情報に基づいて、前記基本部分およびその近傍部分の出力輝度レベルを制御する。
さらに、好ましくは、本発明の表示装置において、前記制御部は、前記視聴者に関する情報に基づいて、前記基本部分の輝度レベルと前記近傍部分の輝度レベルとの少なくとも一方を補正する。
さらに、好ましくは、本発明の表示装置において、前記視聴者に関する情報は、前記視聴者の年齢に関する情報と、前記視聴者の眼の状態に関するに関する情報との少なくとも一つを含む。
さらに、好ましくは、本発明の表示装置において、前記制御部は、前記基本部分から離れるにしたがって、前記近傍部分の輝度レベルが段階的に変化するように、前記近傍部分の輝度レベルを設定する。
さらに、好ましくは、本発明の表示装置において、前記制御部は、複数の色要素の輝度レベルに基づいて、前記基本部分の輝度レベルおよび前記近傍部分の輝度レベルを設定する。
さらに、好ましくは、本発明の表示装置において、前記表示画面は、複数のピクセルを含み、前記複数のピクセルのうちのそれぞれのピクセルは、複数のサブピクセルを含み、前記複数のサブピクセルのそれぞれは、複数の色要素のうちの一つに対応づけられている。
さらに、好ましくは、本発明の表示装置において、前記基本部分および前記近傍部分は、前記複数のサブピクセルに割り当てられている。
さらに、好ましくは、本発明の表示装置において、前記基本部分および前記近傍部分の輝度レベルを示す複数の補正パターンテーブルを記憶する記憶部をさらに備え、前記制御部は、前記表示デバイスの視聴者に関する情報に基づいて、前記記憶部に記憶された前記複数の補正パターンテーブルのうちの一つの補正パターンテーブルを選択し、前記選択した補正パターンテーブルに基づいて、前記基本部分の輝度レベルおよび前記近傍部分の輝度レベルを設定する。
さらに、好ましくは、本発明の表示装置において、前記視聴者に関する情報を入力するための入力部をさらに備える。
本発明の文字・図形表示制御方法は、表示画面上に設けられた複数の表示ピクセルのそれぞれに、所定の方向に配列された複数の色要素にそれぞれ対応付けられた複数のサブピクセルがそれぞれ設けられ、該表示画面上に表示される文字および図形の基本部分の近傍部分に、該基本部分から離れるに従って該基本部分の色要素の輝度レベルから段階的に順次変化する色要素の輝度レベルが設定されるように表示制御する文字・図形表示制御方法において、表示画面の視聴者に関する情報を入力するステップと、入力された前記視聴者に関する情報に応じて、該文字および図形の基本部分に対応するサブピクセルの色要素の輝度レベルを所定の色要素の輝度レベルに設定し、該基本部分に対応するサブピクセルの近傍のサブピクセルの色要素の輝度レベルを、該基本部分から離れるに従って該所定の色要素の輝度レベルから段階的に順次変化する色要素の輝度レベルに設定することにより、該文字および図形を該表示画面上に表示するステップとを含むものであり、そのことにより上記目的が達成される。